(57)【特許請求の範囲】
【請求項１】
魚釣りに用いる釣竿であって、
竿体と、
釣糸が挿通されるリング部と、前記リング部に連続して形成された一対の脚部と、前記一対の脚部の先端にそれぞれ形成され前記竿体に固定される一対の固定部とを有する釣糸ガイドと、
前記一対の固定部をそれぞれ前記竿体の周面に固定する第１固定部材と、
前記一対の固定部の前記竿体周面上を覆うように配置され、前記一対の固定部の軸方向間隔の長さに一致し、前記一対の固定部が前記竿体の軸先方向にずれるのを防止するための第２固定部材とを備え、
前記一対の固定部は、前記第２固定部材を軸方向両端から挟み込むように前記竿体の周面上に配置され前記第１固定部材で固定されている
ことを特徴とする釣竿。
【請求項２】
前記第２固定部材は前記竿体が貫通した筒状部材である、請求項１に記載の釣竿。
【請求項３】
前記第１固定部材及び第２固定部材は紐部材とこの紐部材に含侵された合成樹脂とである、請求項１に記載の釣竿。
【請求項４】
前記第２固定部材は前記竿体上に塗布された合成樹脂である、請求項１に記載の釣竿。
【請求項５】
前記第１固定部材及び第２固定部材はその周面が面一になるように配置されている、請求項１〜４のいずれか１項に記載の釣竿。
【発明の詳細な説明】
【０００１】
【発明の属する技術分野】
本発明は、竿体の外周面に固定された釣糸を挿通する釣糸ガイドを有する釣竿に関する。
【０００２】
【従来の技術】
魚釣りに用いる釣竿の外周面には、釣糸に接触して釣糸をリールと穂先との間で案内する釣糸ガイドが設けられている。図６に示すように、この釣糸ガイドの中のいわゆる「両脚ガイド」と呼ばれる釣糸ガイド１００は、セラミック製リングがはめ込まれ釣糸が挿通可能な輪状のリング部１０１と、リング部１０１から径方向外方に伸び釣竿の竿体の軸方向にそれぞれ伸びる一対の脚部１０２ａ，１０２ｂと、脚部１０２ａ，１０２ｂの先端にそれぞれ形成された固定部１０３ａ，１０３ｂとを有している。この釣糸ガイド１００では、釣竿の竿体の所定位置に一対の固定部１０３ａ，１０３ｂを配置し所定の巻糸１１０でこの一対の固定部１０３ａ，１０３ｂをそれぞれ竿体に固定する。そして、巻糸１１０を保護するために合成樹脂１１１を巻糸１１０に含浸させている。
【０００３】
【発明が解決しようとする課題】
従来の両脚ガイドでは、竿体の軸方向に伸びる両脚部の先端の固定部をそれぞれ固定しており、概ね両脚ガイドの竿体への固定力は十分なものである。しかし、竿体の軸方向における両脚ガイドの両脚収縮方向（図６の矢印方向）に力が加わった場合、固定した脚部の固定部が巻糸及び合成樹脂から外れてしまう恐れがある。
【０００４】
本発明の課題は、釣糸ガイドの取付強度に優れる釣竿を提供することにある。
【０００５】
【課題を解決するための手段】
発明１にかかる釣竿は、魚釣りに用いる釣竿であって、竿体と、釣糸が挿通されるリング部，リング部に連続して形成された一対の脚部，一対の脚部の先端にそれぞれ形成され竿体に固定される一対の固定部を有する釣糸ガイドと、一対の固定部をそれぞれ竿体の周面に固定する第１固定部材と、一対の固定部間の竿体周面上を覆うように配置され、一対の固定部の軸方向間隔の長さに一致し、一対の固定部が前記竿体の軸先方向にずれるのを防止するための第２固定部材とを備え、一対の固定部は、第２固定部材を軸方向両端から挟み込むように竿体の周面上に配置され前記第１固定部材で固定されていることを特徴とする。
【０００６】
この釣竿では、釣糸ガイドの一対の固定部が第１固定部材によってそれぞれ竿体周面に直接固定される。また、第２固定部材が一対の固定部間の竿体周面上を覆い、この一対の固定部が竿体の軸方向における釣糸ガイドの両脚収縮方向へずれるのを抑える。こうして、釣糸ガイドの竿体への取り付け強度がさらに向上する。
【０００７】
発明２にかかる釣竿は、発明１の釣竿であって、第２固定部材は竿体が貫通した筒状部材である。
この第２固定部材は筒状部材であり、一対の固定部間の竿体周面全体を覆うように容易に配置されるので、竿体の軸方向における釣糸ガイドの両脚収縮方向へずれるのを容易に抑えることができる。具体的な釣糸ガイドの取り付け方法は以下のようなものである。釣糸ガイドを竿体周面に取り付ける前に、竿体周面上の所定の位置に筒状の第２固定部材を配置し、その第２固定部材を両脚部が竿体の軸方向において跨ぐように配置する。そして、その後脚部の固定部をそれぞれ第１固定部材で竿体に直接固定する。
【０００８】
発明３にかかる釣竿は、発明１の釣竿であって、第１固定部材及び第２固定部材は紐部材とこの紐部材に含侵された合成樹脂とである。
この第１固定部材及び第２固定部材では、竿体周面上に紐部材を適宜巻回し、これに所定の合成樹脂を含浸させ十分に固化させる。これによって、紐部材がほどけたり破損したりすることがない。
【０００９】
発明４にかかる釣竿は、発明１の釣竿であって、第２固定部材は竿体上に塗布された合成樹脂である。
この第２固定部材は流動化させた合成樹脂を竿体の所定の周面上に塗布し固化して形成する。このような合成樹脂を用いることで第２固定部材を容易に形成できる。
【００１０】
発明５にかかる釣竿は、発明１〜４のいずれか１の釣竿であって、第１固定部材及び第２固定部材はその周面が面一になるように配置されている。この場合には、第１固定部材と第２固定部材との周面が面一化されており、竿体周面がフラットな優れた外観を呈する。また、竿体周面上に不要な凹凸を形成するのを抑えて、釣糸の絡みつきを抑えることも可能になる。
【００１１】
【発明の実施の形態】
［第１実施形態］
以下、本発明の第１実施形態について図面を参照しつつ説明する。
本発明の第１実施形態を採用した釣竿は、図１に示すように、複数の竿体を並継式に連結した竿体１と、竿体１の竿元側端部に脱着自在に固定された尻栓２と、竿体の竿元側に設けられリールを脱着自在に装着可能なリールシート３とを有している。また、リールシート３に装着するリール（図示せず）からの釣糸を挿通させて順次穂先側に釣糸を導くための釣糸ガイド４が、竿体１の周面に所定の間隔を隔てて固定されている。
【００１２】
この竿体１は、それぞれ炭素繊維やガラス繊維に合成樹脂を含浸させたプリプレグをマンドレルに巻回して焼成して得られた先細り筒状部材である。最も竿元側に位置する竿体の端部内周面にはねじ山が形成されて尻栓２が螺合している。また、各竿体の穂先側端部及び竿元側端部はそれぞれ順次嵌合して連結可能に所定の嵌合構造が形成される。さらに、図２に示すように、釣糸ガイド４が固定される竿体１の周面には、筒状の合成樹脂製からなるパイプ部材１５（第２固定部材）がそれぞれの箇所に配置されている。なお、このパイプ部材１５の軸方向長さは後述の釣糸ガイド４の両固定部１２ａ，１２ｂの軸方向間隔にほぼ一致している。
【００１３】
釣糸ガイド４は、図２に示すように、釣糸が挿通するリングのリング部１０と、リング部１０がはめ込まれて固定されており竿体１の軸方向にそれぞれ伸び連続して形成されたリング部１０を支持する脚部１１と、脚部１１の両先端を竿体１の周面に沿うように折り曲げて形成された一対の固定部１２とを有している。
リング部１０は硬質セラミック等からなり、脚部１１に形成された孔にはめ込まれて接着剤等で固定される。このリング部１０をリールからの釣糸が挿通し順次穂先側の釣糸ガイド４へと送られることになる。
【００１４】
脚部１１はＴｉ合金やＴｉ−Ｎｉ合金等の金属からなる部材である。脚部１１はリング部１０を支持しつつ、一方１１ａがリング部１０の上端方向から上方に延び折れ曲がってリング部１０の下端方向（竿体方向）へ延び竿体１の穂先側方向へ至り、他方１１ｂがリング部１０の下端方向から竿体１の竿元側方向へ至っている。そして、この脚部１１の両先端部分が竿体１の周面に配置され固定されており、固定部１２ａ，１２ｂとなっている。
【００１５】
この固定部１２ａ，１２ｂは、竿体１の周面に配置されたパイプ部材１５を軸方向に跨ぐように、かつ、ちょうどパイプ部材１５を軸方向両端から挟み込むように竿体１の周面上に配置される。そして、両固定部１２ａ，１２ｂは巻糸で竿体１と共に巻回されて、その上から合成樹脂でコーティングされる。この巻糸及び合成樹脂が第１固定部材１３ａ，１３ｂとなる。
【００１６】
この釣竿は以下のように製造される。
まず、先細り棒状であるマンドレルに炭素繊維やガラス繊維，チラノ繊維等の強化繊維に合成樹脂を含浸させて得たプリプレグを巻回し、さらにこれを焼成して筒状の竿体１を製造する。
そして、図３（ａ）に示すように、竿体１の所定位置の外周にパイプ部材１５を配置する。このパイプ部材１５は、例えば、熱収縮性の合成樹脂を用いて形成する。竿体１にパイプ部材１５を挿通させた後に加熱収縮させて、パイプ部材１５を竿体１に十分に固定できる。
【００１７】
続いて、図３（ｂ）に示すように、釣糸ガイド４をその固定部１２ａ，１２ｂがパイプ部材１５を軸方向に跨ぐように、かつ、ちょうどパイプ部材１５を軸方向両端から挟み込むように竿体１の周面上に配置する。そして、図３（ｃ）に示すように、固定部１２ａ，１２ｂと竿体１とをナイロン繊維等から形成された糸部材である巻糸２０によって複数回巻回して十分に固定する。この巻糸２０には巻糸２０巻回後にエポキシ樹脂が含浸され、巻糸２０同士及び巻糸２０と固定部１２ａ，１２ｂを十分に密着させて固定する。
【００１８】
このように構成された釣竿では、釣糸ガイド４の一対の固定部１２ａ，１２ｂが巻糸及びこれに含侵された合成樹脂（第１固定部材１３ａ，１３ｂ）によってそれぞれ竿体１周面に直接固定される。また、パイプ部材１５（第２固定部材）が一対の固定部１２ａ，１２ｂ間の竿体１周面上を覆い、この一対の固定部１２ａ，１２ｂが竿体１の軸方向へずれるのを抑えている。こうして、釣糸ガイドの竿体への取り付け強度が十分に向上する。さらに、このパイプ部材１５は竿体１周面に容易に配置できるので、かかる釣糸ガイド４の固定方法を為すことは比較的簡易な作業で行うことが可能である。
【００１９】
［第２実施形態］
以下、本発明の第２実施形態について、図面を参照しつつ説明する。
本発明の第２実施形態を採用した釣竿の釣糸ガイド４も、第１実施形態と同様の構造を有し、かつ竿体１の周面の所定の位置に固定されるものである。
図４に示すように、釣糸ガイド４が固定される竿体１の周面には、巻糸を巻回した上で合成樹脂を含浸させて得た第２固定部材２５がそれぞれの箇所に配置されている。この第２固定部材２５は後述の第１固定部材１３ａ，１３ｂとは別個に形成されたものであり、その軸方向長さは後述の釣糸ガイド４の両固定部１２ａ，１２ｂの軸方向間隔にほぼ一致するように構成されている。
【００２０】
一方、釣糸ガイド４は、この固定部１２ａ，１２ｂは、竿体１の周面に配置された第２固定部材２５を軸方向に跨ぐように、かつ、ちょうど第２固定部材２５を軸方向両端から挟み込むように竿体１の周面上に配置される。そして、両固定部１２ａ，１２ｂは巻糸で竿体１と共に巻回されて、その上から合成樹脂でコーティングされる。この巻糸及び合成樹脂が第１固定部材１３ａ，１３ｂとなる。
【００２１】
この釣竿は以下のように製造される。
まず、先細り棒状であるマンドレルに炭素繊維やガラス繊維，チラノ繊維等の強化繊維に合成樹脂を含浸させて得たプリプレグを巻回し、さらにこれを焼成して筒状の竿体１を製造する。
そして、竿体１の所定位置の外周に巻糸を巻回する。この巻糸の巻回する部分の軸方向長さは、釣糸ガイド４の両固定部１２ａ，１２ｂの軸方向間隔にほぼ一致するように形成される。続いて、釣糸ガイド４をその固定部１２ａ，１２ｂが先に巻回した巻糸部分を軸方向に跨ぐように、かつ、ちょうど先の巻糸巻回部分を軸方向両端から挟み込むように竿体１の周面上に配置する。そして、固定部１２ａ，１２ｂと竿体１とを巻糸によって複数回巻回して十分に固定する。
【００２２】
こうして、第２固定部材２５部分及び第１固定部材１３ａ，１３ｂ部分にそれぞれ巻糸を巻回した上で、これらの巻糸にエポキシ樹脂を含浸し、巻糸２０同士及び巻糸２０と固定部１２ａ，１２ｂ等十分に密着させて固定する。
このように構成された釣竿では、釣糸ガイド４の一対の固定部１２ａ，１２ｂが巻糸及びこれに含侵された合成樹脂（第１固定部材１３ａ，１３ｂ）によってそれぞれ竿体１周面に直接固定される。また、第１固定部材１３ａ，１３ｂとは異なる巻糸・合成樹脂からなる第２固定部材２５が一対の固定部１２ａ，１２ｂ間の竿体１周面上を覆い、この一対の固定部１２ａ，１２ｂが竿体１の軸方向へずれるのを抑えている。こうして、釣糸ガイドの竿体への取り付け強度が十分に向上する。
【００２３】
［他の実施形態］
（ａ）第２固定部材としては、所定の合成樹脂を竿体１にディッピングした上でこれを固化させたものでもよい。また、テープ状に形成した合成樹脂を巻回して固定するもでもよい。このような方法を用いることで、第２固定部材の形成がさらに簡易になり、釣糸ガイドの固定がより容易になる。
（ｂ）第１固定部材と第２固定部材２との周面を均一になるように形成するのが好ましい。このように均一化させることで不必要な糸絡みが抑えられる。尚、均一化の方法としては、それぞれ第１固定部材及び第２固定部材を形成後、表面を研磨処理等することで面一化を図ってもよい。
（ｃ）釣糸ガイドの形状は上記実施形態に限定されるものではなく、いわゆる両脚ガイドであれば、図５に示すようなその他周知の釣糸ガイドに適応することも可能である。
（ｄ）パイプ部材は上記実施形態の様に熱収縮樹脂に限定されるものではない。通常の合成樹脂製パイプを接着剤等によって竿体周面上に固定するのでもよい。また、このパイプ部材を透明な樹脂から形成することで意匠性を向上させることも可能である。
【００２４】
【発明の効果】
本発明によれば釣糸ガイドの取付強度を十分に向上させることが可能である。さらに、容易に釣糸ガイドを竿体に固定でき製造が容易である。
【図面の簡単な説明】
【図１】本発明の第１実施形態を採用した釣竿の全体図。
【図２】図１の釣糸ガイド付近の拡大図。
【図３】図２の釣糸ガイドの固定方法を示した図。
【図４】本発明の第２実施形態を採用した釣糸ガイド付近の拡大図。
【図５】本発明の他の実施形態を採用した釣糸ガイド付近の拡大図。
【図６】従来の釣糸ガイド付近の拡大図。
【符号の説明】
１  竿体
４  釣糸ガイド
１０  リング部
１１  脚部
１２  固定部
１３  第１固定部材
１５  パイプ部材（第２固定部材）
２５  第２固定部材
【図１】
0004323039.tif 000002
【図２】
0004323039.tif 000003
【図３】
0004323039.tif 000004
【図４】
0004323039.tif 000005
【図５】
0004323039.tif 000006
【図６】
0004323039.tif 000007